【手続補正書】
【提出日】平成25年8月1日(2013.8.1)
【手続補正１】
【補正対象書類名】明細書
【補正対象項目名】００６６
【補正方法】変更
【補正の内容】
【００６６】
図１９を参照して、光テープ媒体１８０２上の暗マーク１８０４および白色マーク１８０８に対する受信された読出信号１９０８の実施の形態が示されている。図１８について述べたように、サーボフィールド１８１２の暗マーク１８０２は、光テープ媒体１８０２上の白色マーク１８０８のデータフィールド１８１０に埋込むことができる。図１９に示されるように、暗マーク１８０４は、光ヘッドに対し負の読出信号１９０２を与え得る。白色マーク１８０８は、光ヘッドに対し正の読出信号１９０４を与え得る。ある実施の形態において、その結果、読出信号１９０８は、暗マーク１８０４サーボフィールド１８１２および白色マーク１８０８データフィールド１８１０双方について区別できる極性信号を与え得る。この読出信号１９０８の極性が区別できることにより、同一の光テープ１８０２のトラック上に書込まれ得るサーボフィールド１８１２およびデータフィールド１８１０双方を読取ることができる。
【手続補正２】
【補正対象書類名】明細書
【補正対象項目名】００７９
【補正方法】変更
【補正の内容】
【００７９】
図２１は、図２０に示された媒体に対し３Ｔ動作を実行している間に捕捉されたテスト信号の波形を示しており、この媒体はオーバコート２００４を除去することにより得られたものである。オーバコート２００４は光反射防止干渉層であってもよいため、この３Ｔ書込動作中に媒体の残りの層に大きな影響を与えることはない。
【手続補正３】
【補正対象書類名】明細書
【補正対象項目名】００８０
【補正方法】変更
【補正の内容】
【００８０】
信号２１１０は、媒体上のレーザマークを読取った結果を表わす読取信号の時間領域電圧測定値を示す。信号２１２０は、読取信号が関連データをいつ有しているか判断するために使用される制御信号を示す。図２１からわかるように、信号２１２０がロー２１２５の期間中、読取信号は関連データを有する。信号２１１０および２１２０を捕捉し、オシロスコープ上に、１分割当たり５ｍｓの時間目盛を用いて表示してもよい。オシロスコープの機能を用い、読取信号の代表的な部分２１３０を、選択し、１分割当たり１．４６ｕｓの時間目盛を用いて、信号２１４０として表示できる。当業者にとって、図２１の波形は、図２０に示される光学式媒体の実施の形態の搬送波対雑音特性を示す。
【手続補正４】
【補正対象書類名】明細書
【補正対象項目名】０１１８
【補正方法】変更
【補正の内容】
【０１１８】
図３３を参照して、もう１つの特徴は、２つのレーザダイオードの向きであろう。２つのビームの偏光方向は基本的に直交する。たとえば、光源ＬＤ１  ２９０２を、テープの動きおよび媒体の面の方向に主として平行な方向に偏光してもよく、光源ＬＤ２  ２９１４を、テープの動きに対して垂直であるが媒体の面に平行である方向に偏光してもよい。これにより、２つのビームを偏光ビームスプリッタＰＢＳ２９１０で組合わせることが可能になるであろう。レーザダイオードからの単一の空間モード光はＰ−Ｎ接合面３３０２に対してほぼ平行に偏光されるので、光源ＬＤ１  ２９０２および光源ＬＤ２  ２９１４のＰ−Ｎ接合面３３０２は互いに垂直であってもよい。
【手続補正５】
【補正対象書類名】明細書
【補正対象項目名】０１３６
【補正方法】変更
【補正の内容】
【０１３６】
図４２を参照して、ヘッド駆動機構４１０２は複数の光ヘッド４２０２を含んでいてもよく、ヘッドは各々自身のサーボ制御されるアクチュエータおよび位置決めシステムを有する。これら光ヘッド４２０２を、各光ヘッド４２０２が光テープのゾーン４２０４内のデータの読取および書込を担当するように配置してもよい。ある実施の形態において、光テープのゾーン４２０４は多数の光テープトラックであってもよい。テープゾーン４２０４またはトラックすべてをカバーするのに十分な光ヘッド４２０２がヘッド駆動機構４１０２にある。各光ヘッド４２０２は、他の光ヘッド４２０２に影響を及ぼすことなく、光ヘッド４２０２のゾーン４２０４内の記録トラックのいずれかに位置決めされることができるであろう。各光ヘッド４２０２の移動範囲は、その全体が、サーボ制御されるアクチュエータの移動範囲内であろう。加えて、各光ヘッド４２０２に対する焦点制御は、光テープの回転中に、光テープの最初から最後まで移動する際に、各光ヘッド４０２０が焦点を維持できるようにするのに十分な移動範囲を有し得る。焦点の維持は、光テープの移動のいずれの方向であってもよい。
【手続補正６】
【補正対象書類名】明細書
【補正対象項目名】０１６３
【補正方法】変更
【補正の内容】
【０１６３】
図４６を参照して、復調器のより詳細な実施の形態が示されている。ある実施の形態において、信号Ｓ（ｔ）を、まず装置の入力インターフェイス（Ｄｉｎ）４５０２によって調整してもよく、次に信号復調器４５０４内の１組の相補フィルタによって処理してもよい：［ＦＰ１＆ＦＱ１］、［ＦＰ２＆ＦＱ２］、…［ＦＰｋ＆ＦＱｋ］。
【手続補正７】
【補正対象書類名】明細書
【補正対象項目名】０２０２
【補正方法】変更
【補正の内容】
【０２０２】
第１のニッケル電気鋳造品５２１０Ａを、先端５２１５がシムストック５２３０からずれるように配置するとともに磁気チャックによって適所で保持してもよく、磁力を調整してニッケル電気鋳造品５２１０を移動させるようにしてもよい。ニッケル電気鋳造品５２１０を上記台の移動軸と平行になるように調整してもよい。十分な力を磁気チャックに加えることによりニッケル電気鋳造品５２１０がシムストック５２３０と密接するようにするとともに、シアノアクリレートを使用してニッケル電気鋳造品５２１０の端部を接着してもよい。
【手続補正８】
【補正対象書類名】明細書
【補正対象項目名】０２０８
【補正方法】変更
【補正の内容】
【０２０８】
フランジの内面５３５０は、適切な力を受けると可撓性を示すものであってもよい。内面５３５０が可撓性を有することにより、ベースプレートに対するローラシャフト５３１０の高さを正確に調整できる。ローラシャフト５３１０をベースプレートに固定するねじをさらに締めると、中心棒５３３０はベースプレートの穴の中にさらに引き寄せられる。環状部５３４０の面５３１５がベースプレートの面上にある状態で、内面５３５０が撓むと、中心棒５３３０の高さを調整する一方でベースプレートに対して正確に垂直な状態を維持することができる。フランジの内面５３５０は内蔵されたばねとして作用し、典型的には１ミクロンよりも良い非常に正確な高さ制御を可能にする。移動範囲および調整の精度に貢献する要素は、ローラシャフト５３００の材料、中心棒５３３０の直径、フランジの内面５３５０の厚み、およびねじ切りされた端部５３２０におけるねじのピッチを含む。
【手続補正９】
【補正対象書類名】明細書
【補正対象項目名】０２１５
【補正方法】変更
【補正の内容】
【０２１５】
ローラ５５４０は、ローラ５５４０の回転軸が螺旋経路５５５０に対して垂直となるように、フレーム（図示せず）上に置いてもよい。下側のリール５５１０および上側のリール５５２０の回転軸も螺旋経路５５５０に対して実質的に垂直であってもよい。結果として得られる下側のリール５５１０から上側のリール５５２０までのテープ経路の距離は、ローラ５５４０の数および間隔に依存するであろう。
【手続補正１０】
【補正対象書類名】図面
【補正対象項目名】図４５
【補正方法】変更
【補正の内容】
【図４５】
2013516027.tif 000001